(57)【要約】【課題】脚管を底板に容易に取付可能であるととともに、メンテナンス性が良い水栓を提供する。【解決手段】水栓１００は、水栓本体３と、水栓本体３に接続されたサプライ管４と、底板１と、底板１に形成された取付孔に配置され上端部が取付孔から上方に突出するとともに、内部にサプライ管４が挿通された脚管２と、係止部材７と、を備え、係止部材７は、脚管２の上部に係止して、脚管２が取付孔から移動することを抑制することを特徴とする。【選択図】図１
2020020148.tif 000002
【特許請求の範囲】
【請求項１】
水栓本体と、
該水栓本体に接続されたサプライ管と、
底板と、
該底板に形成された取付孔に配置され上端部が該取付孔から上方に突出するとともに、内部に前記サプライ管が挿通された脚管と、
該脚管の上部に係止して、該脚管が前記取付孔から移動することを抑制する係止部材と、を備えることを特徴とする水栓。
【請求項２】
前記脚管の上端部の外周面には、径方向内側に凹む係止溝部が設けられ、
前記係止部材には、前記係止溝部に係止される係止部が設けられている請求項１に記載の水栓。
【請求項３】
前記脚管には、前記底板よりも下方で、径方向外側に突出する突出部が設けられ、
前記係止部材と前記突出部とで前記底板を挟み込んでいる請求項１または２に記載の水栓。
【請求項４】
前記係止部材は、前記サプライ管の上方への移動を規制する移動規制部を有している請求項１から３のいずれか一項に記載の水栓。
【発明の詳細な説明】
【技術分野】
【０００１】
本発明は、水栓に関する。
【背景技術】
【０００２】
従来から、シングルレバー式の混合水栓では、キッチンカウンター上に設置される底板上に水栓本体が設けられ、水栓本体の流入口には給水管（サプライ管）が接続され、サプライ管はキッチンのカウンター等に固定された脚管内に挿通されている。
【０００３】
脚管は、底板に形成された貫通孔に対して挿通され、底板に固定されない構成とされていることがある（下記の特許文献１参照）。
【０００４】
また、脚管の上端部の外周面に螺子を設けて底板の貫通孔から上方に突出させて、脚管に底板の下面に沿ってフランジを設けて、脚管の螺子にナットを締付けることで、ナットと脚管のフランジとで底板を挟み込む方法が採用されている。さらに、螺子に接着剤を塗布して、脚管を底板に強固に固定している。
【先行技術文献】
【特許文献】
【０００５】
【特許文献１】特開平８−１７７０９３号公報
【発明の概要】
【発明が解決しようとする課題】
【０００６】
しかしながら、上記のように、接着剤を塗布するとともにナットで締付ける方法は組付けにくく、ナットが接着剤で固定されているため一度組付けると脚管を底板から取り外すことが困難であるという問題点がある。
【０００７】
そこで、本発明は、上記事情に鑑みてなされたものであり、脚管を底板に容易に取付可能であるととともに、メンテナンス性が良い水栓を提供する。
【課題を解決するための手段】
【０００８】
上記目的を達成するために、本発明は以下の手段を採用している。
すなわち、本発明に係る水栓は、水栓本体と、該水栓本体に接続されたサプライ管と、底板と、該底板に形成された取付孔に配置され上端部が該取付孔から上方に突出するとともに、内部に前記サプライ管が挿通された脚管と、該脚管の上部に係止して、該脚管が前記取付孔から移動することを抑制する係止部材と、を備えることを特徴とする。
【０００９】
このように構成された水栓では、係止部材を脚管の上部に係止させれば、脚管は取付孔から移動することが抑制されて底板に取り付けられるため、脚管を底板に容易に取り付けることができる。また、係止部材を脚管から取り外して脚管を取付孔から抜けば脚管を底板から取り外すことができるため、メンテナンスの作業性が良い。
【００１０】
また、本発明に係る水栓は、前記脚管の上端部の外周面には、径方向内側に凹む係止溝部が設けられ、前記係止部材には、前記係止溝部に係止される係止部が設けられていることが好ましい。
【００１１】
このように構成された水栓では、係止部材の係止部を脚管の係止溝に係止させればよいため、脚管を底板に容易に取り付けることができる。
【００１２】
また、本発明に係る水栓は、前記脚管には、前記底板よりも下方で、径方向外側に突出する突出部が設けられ、前記係止部材と前記突出部とで前記底板を挟み込んでいてもよい。
【００１３】
このように構成された水栓では、係止部材と脚管の突出部とで底板を挟み込んでいるため、脚管が底板に確実に取り付けられる。
【００１４】
また、本発明に係る水栓は、前記係止部材は、前記サプライ管の上方への移動を規制する移動規制部を有していてもよい。
【００１５】
このように構成された水栓では、サプライ管に内部を流通する水または湯の水圧が作用し、サプライ管が上方に移動しようとしても、サプライ管が係止部材の移動規制部により上方への移動が規制されため、サプライ管が脚管から抜けることがない。
【発明の効果】
【００１６】
本発明に係る水栓によれば、脚管を底板に容易に取付可能であるととともに、メンテナンス性が良い。
【図面の簡単な説明】
【００１７】
【図１】本発明の一実施形態に係る水栓を示す斜視図である。
【図２】図１の要部の拡大図である。
【図３】図２の分解斜視図である。
【図４】図１の要部の上面図である。
【図５】図４のＡ−Ａ線断面図である。
【図６】本発明の変形例１に係る水栓の要部の斜視図である。
【図７】本発明の変形例１に係る水栓の要部の上面図である。
【図８】本発明の変形例２に係る水栓の要部の斜視図である。
【図９】本発明の変形例２に係る水栓の要部の上面図である。
【図１０】図９のＢ−Ｂ線断面図である。
【発明を実施するための形態】
【００１８】
以下、本発明の一実施形態に係る水栓について、図面を用いて説明する。
図１は、本発明の一実施形態に係る水栓を示す斜視図である。なお、図１において、カバーを二点鎖線で示している。
図１に示すように、水栓１００は、底板１と、一対の脚管２と、水栓本体３と、給水用のサプライ管４Ａ及び給湯用のサプライ管４Ｂと、カバー６と、を備えている。本実施形態の水栓１００は、キッチンのカウンター（不図示。以下同じ。）等に設置されるものである。なお、給水用及び給湯用のサプライ管４Ａ，４Ｂを総称して、単にサプライ管４と称することがある。
以下の説明において、使用者側から水栓１００を見た際の左右方向を、単に「左右方向」と称することがある。
【００１９】
底板１は、略平板状に形成されている。底板１は、板厚方向を上下方向に向けて配置されている。底板１は、左右方向に長い形状をなしている。
【００２０】
図２は、図１の要部の拡大図である。図３は、図２の分解斜視図である。
図３に示すように、底板１には、長手方向（左右方向）の両端部に、上下方向に貫通する貫通孔（取付孔）１１（図３では片方の貫通孔１１を示している）がそれぞれ形成されている。各貫通孔１１には、脚管２がそれぞれ挿通されている。
【００２１】
貫通孔１１は、平面視略円形状をなしている。貫通孔１１には、底板１の長手方向の内側に位置する部分に、平面視直線状に形成された直線部１３が設けられている。直線部１３は、貫通孔１１の径方向と直交する方向、本実施形態では底板１の短手方向（底板１の板面に沿う方向のうち長手方向に直交する方向）に延びている。なお、直線部１３の延在方向は、適宜設定可能である。
【００２２】
各脚管２は、上下方向の延び、内部に上下方向に貫通する挿通孔２１が形成された管状をなしている。
【００２３】
脚管２の外周面には、螺子部２２が設けられている。螺子部２２は、脚管２の上下方向にわたって設けられている。螺子部２２には、脚管２をカウンターに固定するためのナット（不図示）が締め付け可能とされている。
【００２４】
脚管２において、上端部２ｕの外形は、螺子部２２が設けられている部分の外形よりも縮径に形成されている。脚管２の上端部２ｕの外形は、底板１の貫通孔１１に対応した形状をなしている。換言すると、脚管２の上端部２ｕの外周面は、略円形状をなすとともに、貫通孔１１の直線部１３に対応する位置に平面視直線状に形成された直線部２３（図５参照）が設けられている。これにより、脚管２が底板１の貫通孔１１内で周方向に回転することが抑制されている。
【００２５】
図４は、図１の要部の上面図である。図５は、図４のＡ−Ａ線断面図である。
図４及び図５に示すように、脚管２の上端部２ｕには、底板１よりも下方で環状をなす止水部材２５が外嵌されている。
【００２６】
図５に示すように、脚管２の螺子部２２の上端部（突出部）２２ｕは、脚管２の上端部２ｕよりも径方向外側に突出している。螺子部２２の上端部２２ｕと底板１の下面との間に、止水部材２５は挟み込まれている。止水部材２５により、底板１と脚管２との間の止水がなされている。なお、止水部材２５は、任意の種類の部材を選択可能であるが、平パッキンが望ましい。
【００２７】
止水部材２５は脚管２に外嵌された状態で、平面視で、底板１の貫通孔１１よりも径方向外側に突出している。
【００２８】
図３に示すように、脚管２の上端部２ｕよりもさらに上方の外周面には、径方向内側に凹むクリップ係止溝部（係止溝部）２４が形成されている。クリップ係止溝部２４は、脚管２の上端部の全周にわたって形成されている。
【００２９】
図５に示すように、脚管２のクリップ係止溝部２４が底板１よりも上方に突出した状態で、クリップ係止溝部２４にはクリップ７が係止されている。
【００３０】
図２及び図３に示すように、クリップ（係止部材）７は、円弧状に形成されたクリップ基部７１を有している。クリップ基部７１は、半円よりも大きく全円よりは小さい形状をなしている。クリップ基部７１の周方向の端部７１ａどうしは離間して配置されている。クリップ基部７１は、脚管２の径方向外側に配置されている。
【００３１】
クリップ基部７１の内周面７２には、径方向内側に向かって突出する係止片（係止部）７３が設けられている。係止片７３は、周方向に離間して３箇所に設けられている。本実施形態では、クリップ７は金属材料で形成されている。
【００３２】
図４及び図５に示すように、係止片７３は、脚管２のクリップ係止溝部２４に係止されている。これにより、底板１の貫通孔１１に挿通された脚管２が貫通孔１１から下方に抜けることがなく、脚管２は底板１に取り付けられている。係止片７３は、平面視で脚管２の直線部２３と重ならない位置に配置されている。
【００３３】
図５に示すように、脚管２の螺子部２２の上端部２２ｕと脚管２に係止されたクリップ７とで底板１を上下方向に挟み込んでいる。これにより、脚管２は底板１に対して上下方向に移動が規制されつつ、底板１に取り付けられている。
【００３４】
図１に示すように、水栓本体３は、ハンドルレバー３１と、吐水管３２と、を有している。水栓本体３の流入口３Ａ，３Ｂには、それぞれサプライ管４Ａ，４Ｂが接続されている。ハンドルレバー３１を操作することにより、サプライ管４から供給された湯水が吐水管３２から、吐水可能とされている。水栓本体３は、底板１の上面に固定されている。
【００３５】
サプライ管４は、略鉛直方向に延びる管部４１と、略水平方向に延びる管部４２と、管部４１，４２どうしを接続する屈曲した管部４０と、を有している。
【００３６】
管部４１は、脚管２の内部に挿通されている。管部４１の上流端４１ａ（図５参照）には、キッチンカウンター等の配管（不図示）が接続されている。
【００３７】
各サプライ管４の管部４２の下流端４２ａは、水栓本体３の流入口３Ａ，３Ｂに接続されている。管部４２は、左右方向に延び、底板１の上面に沿って配置されている。
【００３８】
図５に示すように、脚管２に形成された挿通孔２１は、上下方向の中間部２１ｃの径の方が上部２１ｄの径よりも小さく形成されている。脚管２の上部２１ｄと中間部２１ｃとの間には、段部２１ｅが形成されている。脚管２に挿通されたサプライ管４の管部４１の上流端４１ａの径寸法は、脚管２の挿通孔２１の中間部２１ｃよりも僅かに小さい。
【００３９】
サプライ管４の管部４１のうち、脚管２の上部２１ｄの挿通孔２１に配置された部分には、径方向外側に突出する突出部４３が１箇所形成されている。
【００４０】
サプライ管４の管部４１の突出部４３の下方には、環状をなすスペーサー４４が設けられている。スペーサー４４の下方には、環状をなすＯリング４５が配置されている。サプライ管４の突出部４３と脚管２の段部２１ｅとの間に、スペーサー４４及びＯリング４５は挟み込まれている。Ｏリング４５により、脚管２とサプライ管４との間の止水がなされている。
【００４１】
サプライ管４の管部４１には、突出部４３の上方に、環状をなす抜け止め用部材４７が設けられている。抜け止め用部材４７の上面には、径方向外側に向かうにしたがって次第に下方に傾斜する傾斜面４７ａが形成されている。
【００４２】
脚管２の上部２１ｄの内周面２１ｆには、径方向外側に凹む嵌合溝部２６が形成されている。嵌合溝部２６は、脚管２の内周面２１ｆの周方向にわたって形成されている。嵌合溝部２６には、止め輪４８が嵌合されている。
【００４３】
止め輪４８は、環状の一部が切り欠かれた形状をなしている。このため、脚管２内の上部２１ｄから止め輪４８を挿入する際には、止め輪４８は径方向内側に収縮しやすく挿入しやすい。止め輪４８は、半円よりも大きい形状をなしている。これにより、止め輪４８と、抜け止め用部材４７の傾斜面４７ａとの接触面積を確保することができる。なお、本実施形態では、止め輪４８の断面（脚管２の中心線を通る断面）は、円形状をなしているが、四角形等の形状であったり、切り欠かれていない形状であったりしてもよい。
【００４４】
止め輪４８の内縁４８ａは、脚管２の内周面２１ｆから径方向内側に突出している。止め輪４８の内縁４８ａは、サプライ管４の突出部４３よりも径方向内側に配置されている。
【００４５】
サプライ管４に水圧が作用し、サプライ管４が上方に移動しようとしても、突出部４３が抜け止め用部材４７に干渉するとともに、抜け止め用部材４７の傾斜面４７ａが止め輪４８に干渉するため、サプライ管４の上方への移動が規制される。
【００４６】
一方、脚管２の上部２１ｄから工具等（不図示）を用いて止め輪４８を外すことで、サプライ管４は脚管２から取り外し可能となる。このように、サプライ管４は、脚管２に着脱可能に設けられている。
【００４７】
図１に二点鎖線で示すように、カバー６は、底板１の上方を覆うように設けられている。カバー６は、水栓本体３の下部、脚管２及びサプライ管４の底板１上に露出する部分を覆っている。
【００４８】
このように構成された水栓１００では、クリップ７を脚管２の上端部のクリップ係止溝部２４に係止させれば、脚管２は貫通孔１１から下方に抜けることが抑制されて底板１に取り付けられるため、脚管２を底板１に容易に取り付けることができる。また、クリップ７を脚管２から取り外して脚管２を取付孔１１から抜けば、脚管２を底板１から取り外すことができるため、メンテナンスの作業性が良い。
【００４９】
また、クリップ７と脚管２の螺子部２２の上端部２２ｕとで底板１を挟み込んでいるため、脚管２が底板１に確実に取り付けられる。
【００５０】
また、止め輪４８とサプライ管４の突出部４３との間に、抜け止め用部材４７が配置されている。よって、脚管２の内部に挿通されたサプライ管４が上方に移動しようとしても、突出部４３が抜け止め用部材４７に干渉するとともに、抜け止め用部材４７の傾斜面４７ａが止め輪４８に干渉するため、サプライ管４の上方への移動が規制される。
なお、抜け止め用部材４７は設けられていなくてもよい。この場合には、サプライ管４の突出部４３が止め輪４８に直接当接することで、サプライ管４の上方への移動が規制される。
【００５１】
また、止め輪４８は環状の一部が切り欠かれた形状をなすため、収縮させる方向（径が小さくなる方向）に変形させ脚管２内に挿入しやすいとともに、メンテナンスの際に止め輪４８を嵌合溝部２６から取り外しやすい。
【００５２】
また、サプライ管４が上方に移動しようとした際には、止め輪４８に干渉するのは抜け止め用部材４７であり、サプライ管４の突出部４３が止め輪４８に直接当接することがない。よって、サプライ管４が銅等の比較的柔らかい金属で形成されていても、サプライ管４の突出部４３が止め輪４８に干渉して変形することが抑制される。
【００５３】
（変形例１）
次に、本発明の変形例１に係る水栓について、主に図６及び図７を用いて説明する。
下記に示す変形例の説明において、前述した部材と同一の部材には同一の符号を付して、その説明を省略する。
図６は、本発明の変形例１に係る水栓の要部の斜視図である。図７は、本発明の変形例１に係る水栓の要部の上面図である。
【００５４】
図６及び図７に示すように、本変形例では、第一クリップ（係止部材）７Ｗ及び第二クリップ（係止部材）８Ｗが脚管２のクリップ係止溝部２４に係止されている。
【００５５】
第一クリップ７Ｗは、内周壁部７６と、外周壁部７７と、係止壁部７８と、を有している。内周壁部７６は、脚管２のクリップ係止溝部２４に対応した形状をなし円弧状に形成されている。内周壁部７６は、クリップ係止溝部２４に配置されている。
【００５６】
係止壁部７８は、内周壁部７６と外周壁部７７とを連結している。係止壁部７８は、平面視で、底板１の長手方向に沿って延びている。係止壁部７８には、平面視で、底板１の短手方向の外側に突出する係止突起７９が設けられている。
【００５７】
第二クリップ８Ｗは、円弧部８１と、延出壁部８６と、を有している。円弧部８１は、円弧状に形成されている。円弧部８１は、平面視で略半円をなしている。円弧部８１には、径方向内側に向かって突出する係止片８３が設けられている。係止片８３は、周方向に離間して４箇所に設けられている。
【００５８】
係止片８３は、脚管２のクリップ係止溝部２４に係止されている。これにより、底板１の貫通孔１１に挿通された脚管２が貫通孔１１から下方に抜けることがなく、脚管２は底板１に取り付けられている。
【００５９】
円弧部８１には、径方向外側に向かって突出する腕部８４が設けられている。腕部８４は、周方向に離間して２箇所に設けられている。図７に示すように、平面視で、腕部８４の先端部は、カバー６の内周面よりも僅かに内側に配置されている。腕部８４の先端部がカバー６の内周面に当接することで、第二クリップ８Ｗが外れる方向への移動が規制されている。
【００６０】
延出壁部８６は、円弧状をなす円弧部８１の両端部からそれぞれ延びている。平面視で、延出壁部８６において底板１の短手方向の内側を向く面には、短手方向の外側に向かって凹む係止凹部８７が形成されている。係止凹部８７には、第一クリップ７Ｗの係止突起７９が係止されている。これにより、第一クリップ７Ｗと第二クリップ８Ｗとが組付けられている。
【００６１】
第一クリップ７Ｗ及び第二クリップ８Ｗを脚管２のクリップ係止溝部２４に係止させる際には、まず、第一クリップ７Ｗの内周壁部７６をクリップ係止溝部２４に沿って配置する。次に、第二クリップ８Ｗの一対の延出壁部８６を、第一クリップ７Ｗの係止壁部７８の外側に配置して、第二クリップ８Ｗの係止片８３をクリップ係止溝部２４に係止させるとともに、延出壁部８６の係止凹部８７に第一クリップ７Ｗの係止突起７９を係止させる。これにより、第二クリップ８Ｗの係止片８３は、脚管２のクリップ係止溝部２４に係止される。
【００６２】
このように構成された水栓１００Ｗでは、第一クリップ７Ｗの内周壁部７６及び第二クリップ８Ｗの係止片８３を脚管２の上端部のクリップ係止溝部２４に係止させれば、脚管２は貫通孔１１から下方に抜けることが抑制されて底板１に取り付けられるため、脚管２を底板１に容易に取り付けることができる。また、第一クリップ７Ｗ及び第二クリップ８Ｗを脚管２から取り外して脚管２を取付孔１１から抜けば、脚管２を底板１から取り外すことができるため、メンテナンスの作業性が良い。
【００６３】
（変形例２）
次に、本発明の変形例２に係る水栓について、主に図８から図１０を用いて説明する。
図８は、本発明の変形例２に係る水栓の要部の斜視図である。図９は、本発明の変形例２に係る水栓の要部の上面図である。図１０は、図９のＢ−Ｂ線断面図である。
【００６４】
図８から図１０に示すように、本変形例では、クリップ７Ｘは、係止体７０と、移動規制体（移動規制部）８０と、を有している。
【００６５】
係止体７０は、半円よりも大きく全円よりは小さい形状をなしている。係止体７０には、径方向内側に向かって突出する係止片７３が設けられている。係止片７３は、周方向に離間して３箇所に設けられている。
【００６６】
係止片７３は、脚管２のクリップ係止溝部２４に係止されている。これにより、底板１の貫通孔１１に挿通された脚管２が貫通孔１１から下方に抜けることがなく、脚管２は底板１に取り付けられている。
【００６７】
図８に示すように、移動規制体８０は、係止体７０における底板１の短手方向の内側に位置する部分から立設されている。移動規制体８０は、サプライ管４の延在方向の一方側から見て略四方枠状をなしている。換言すると、移動規制体８０には、サプライ管４の延在方向（底板１の長手方向）に貫通する挿通孔８０ｈが形成されている。なお、移動規制体８０がサプライ管４の延在方向の一方側から見て略環状をなしていてもよい。
【００６８】
サプライ管４は、移動規制体８０の挿通孔８０ｈ内に挿通されている。移動規制体８０の上端部には、平面視で、底板１の長手方向の外側に延出する押さえ板８２が設けられている。押さえ板８２は、平板状に形成され、板面が略水平面に沿うように配置されている。図１０に示すように、押さえ板８２は、サプライ管４よりも僅かに上方に配置されている。
【００６９】
このように構成された水栓１００Ｘでは、クリップ７Ｘの係止片７３を脚管２の上端部のクリップ係止溝部２４に係止させれば、脚管２は貫通孔１１から下方に抜けることが抑制されて底板１に取り付けられるため、脚管２を底板１に容易に取り付けることができる。また、クリップ７Ｘを脚管２から取り外して脚管２を取付孔１１から抜けば、脚管２を底板１から取り外すことができるため、メンテナンスの作業性が良い。
【００７０】
また、サプライ管４に内部を流通する水または湯の水圧が作用し、サプライ管４が上方に移動しようとしても、サプライ管４がクリップ７の押さえ板８２に当接して上方への移動が規制されため、サプライ管が脚管２から抜けることがない。
また、移動規制体８０には押さえ板８２が設けられておらず、四方枠状や環状をなす移動規制体８０の内周面の上部にサプライ管４が当接可能な構成であってもよい。ただし、押さえ板８２を設けた方が、サプライ管４の損傷を抑制することができる。
【００７１】
なお、上述した実施の形態において示した各構成部材の諸形状や組み合わせ等は一例であって、本発明の主旨から逸脱しない範囲において設計要求等に基づき種々変更可能である。
【００７２】
例えば、脚管２の上端部には径方向外側に突出する脚フランジ（不図示）が設けられ、脚フランジが底板１の上方に突出していて、底板１には係止部材（不図示）が設けられ、係止部材が脚管２の脚フランジの上面とわずかに隙間を有しつつ、平面視で脚フランジの一部と重なって配置される構成であってもよい。この場合、サプライ管４が上方に移動しようとしても、脚フランジが係止部材に当接して係止されるため、サプライ管４の上方への移動が規制される。
【符号の説明】
【００７３】
１…底板
２…脚管
３…水栓本体
４…サプライ管
６…カバー
７…クリップ（係止部材）
１１…貫通孔（取付孔）
２２ｕ…（突出部）
２４…クリップ係止溝部（係止溝部）
２５…止水部材（突出部）
４１…管部
４２…管部
４３…突出部
４４…スペーサー
４５…Ｏリング
４７…抜け止め用部材
４８…止め輪
７３…係止片（係止部）
１００…水栓
【図１】
2020020148.tif 000003
【図２】
2020020148.tif 000004
【図３】
2020020148.tif 000005
【図４】
2020020148.tif 000006
【図５】
2020020148.tif 000007
【図６】
2020020148.tif 000008
【図７】
2020020148.tif 000009
【図８】
2020020148.tif 000010
【図９】
2020020148.tif 000011
【図１０】
2020020148.tif 000012